(57)【特許請求の範囲】
【請求項１】
透水性の表面シートと非透水性の防漏シートとの間に、これらよりも小面積の吸収シートを配置して形成したおむつ本体と、このおむつ本体の表面中央部に交換可能に載置して使用する交換吸収体とから成り、この交換吸収体の吸収層の下面には、吸収層よりも大きな面積の非透水性の防漏層を配置し、吸収層の上面には、吸収層よりも大きな面積の透水性の表面層を配置して、この表面層と防漏層とを外周部に於て止着するとともに、表面層の両側長さ方向に紐挿通路を平行に一対形成し、この一対の紐挿通路の一端から他端側にＵ字状に一方締付紐を挿通するとともに、紐挿通路の他端から一端側へＵ字状に他方締付紐を挿通し、この他方及び一方の締付紐をその端部で各々締着して他方及び一方締着部とするとともに、交換吸収体の長さ方向の端部で一対の紐挿通路の間隔の中央部に形成した切込部に、表面層側から防漏層側へ一方及び他方締着部を挿通した事を特徴とする使捨ておむつ。
【請求項２】
交換吸収体に取り付けられている締付紐は、不織布で形成した事を特徴とする請求項１記載の使捨ておむつ
【請求項３】
紐挿通路は、表面層を立ち上げてトンネル状に形成した事を特徴とする請求項１記載の使捨ておむつ
【発明の詳細な説明】
【０００１】
【産業上の利用分野】
本発明は、使捨ておむつに係るものである。
【０００２】
【従来の技術】
従来、使捨ておむつは、使用のたびにおむつを手でまるめたり折り畳んだりして、排泄物を包んで全てを捨てていた。その際、畳み方が悪いとおむつが広がって、排泄物が外に漏れることがあった。これに対して、そのようなおむつの広がりを防止するために、おむつにテープなどを取り付けて止める方法もあった。
【０００３】
【発明が解決しようとする課題】
しかしながら、上記の従来方法では、おむつ換えのたびにおむつ全体を捨てるため、不経済である上にゴミの容量も多くなる欠点を有していた。さらに、手でおむつを折り畳むため、排泄物で手を汚してしまう虞れもあった。これに対し、排泄物を包んだおむつから排泄物がもれたり、おむつが広がったりしないように、テープなどでしっかり固定する方法もあったが、その場合は、固定用のテープをわざわざおむつ本体に取り付けたりするなどの手間やコストがかかるものとなる。
【０００４】
本発明は、上記のような課題を解決しようとするものであって、おむつ本体に交換吸収体を載置して使用することにより、おむつ換えの際に、排泄物が少量の小便や大便ならば、交換吸収体のみを使捨てとし、おむつ本体に汚れがない場合は繰り返し使うことができるようにしようとするものである。
【０００５】
また、おむつの交換に於いて、手数を省略し、手を汚す虞れもないものにしようとするものである。
【０００６】
【課題を解決するための手段】
本発明は、上述の如き課題を解決するため、透水性の表面シートと非透水性の防漏シートとの間に、これらよりも小面積の吸収シートを配置して形成したおむつ本体と、このおむつ本体の表面中央部に交換可能に載置して使用する交換吸収体とから成り、この交換吸収体の吸収層の下面には、吸収層よりも大きな面積の非透水性の防漏層を配置し、吸収層の上面には、吸収層よりも大きな面積の透水性の表面層を配置して、この表面層と防漏層とを外周部に於て止着するとともに、表面層の両側長さ方向に紐挿通路を平行に一対形成し、この一対の紐挿通路の一端から他端側にＵ字状に一方締付紐を挿通するとともに、紐挿通路の他端から一端側へＵ字状に他方締付紐を挿通し、この他方及び一方の締付紐をその端部で各々締着して他方及び一方締着部とするとともに、交換吸収体の長さ方向の端部で一対の紐挿通路の間隔の中央部に形成した切込部に、表面層側から防漏層側へ一方及び他方締着部を挿通して成るものである。
【０００７】
また、交換吸収体に取り付けられている一方締付紐は、不織布で形成してもよい。
【０００８】
また、紐挿通路は、表面層を立ち上げてトンネル状に形成してもよい。
【０００９】
【作用】
本発明は、上述の如く構成したものであるから、おむつを赤ちゃんなどの使用者に装着する場合は以下のような手順で行う。
【００１０】
まず、おむつ本体を、表面シートが上面を向くように広げる。このおむつ本体の表面シート上に、交換吸収体を平らに載置する。この交換吸収体は、表面層を使用者の肌側に、防漏層をおむつ本体の表面シート側に配置する。また、交換吸収体の切込部から防漏層側に露出している締付紐は、おむつを取り換える際に引き出し易いように、おのおの１本ずつ腹側と背側に突出して配置しておく。また、そのような配置をすることにより、締付紐が使用者の肌と交換吸収体との間に入り込んで、使用中に排泄物で汚れるのを防ぐこともできる。この状態でおむつ本体を使用者に装着する。この装着は、使用者の大小便の排出部に交換吸収体が接触するように配置し、交換吸収体で、第一義的に大小便の吸収、接触を行う。
【００１１】
使用後、使用者からおむつを外す場合に、排泄物の量が少なく交換吸収体部分のみが汚れている場合には、汚れた交換吸収体のみ交換する。この交換は、両方の締付紐の締着部を手で持ち、一方締付紐は交換吸収体の一端方向に、他方締付紐は交換吸収体の他端方向に同時に引く。すると、両方の締付紐のＵ字部分が中央に引き寄せられ、紐挿通路がギャザー状に引き絞られる。その結果、交換吸収体全体が防漏層を外側に配置して巾着状になり、汚れた表面層と吸収層及び排泄物は内側に包み込まれる。これで排泄物処理が完了し、交換吸収体を捨てることができる。また、非透水性の防漏層を外側に使用しているため、交換吸収体から排泄物が染み出すこともない。
【００１２】
また、不織布のような摩擦係数が高い材質で締付紐を形成しているから、いったん引いた締付紐が緩むことはないので、巾着の形状が保たれる。更に、ギャザー状の紐挿通路の上方で２本の締付紐を互いに絡ませて縛れば、交換吸収体はなお広がりにくくなり、排泄物の漏れを防ぐことができる。以上より、巾着状にした交換吸収体は、そのままゴミ箱などに捨てても回りを汚すことはない。
【００１３】
次に、前回使用したおむつ本体が汚染されていなければ、このおむつ本体の上に新しい交換吸収体を載せ、再び使用者に装着する。おむつ本体は汚れるまで複数回使用することが可能となる。
【００１４】
【実施例】
以下、本発明の一実施例を図面に於て説明すれば、（１）はおむつ本体で、図２、図３に示す如く、透水性の表面シート（２）と非透水性の防漏シート（３）とを重ねた間に、これらよりも面積の小さい吸収シート（４）を挟んで形成する。また、おむつ本体（１）の長さ方向の両側には、おむつ本体（１）が使用者の股の内側にフィットするよう内側を弧状にカットして、カット凹部（５）を形成するとともに、表面シート（２）と防漏シート（３）とを止着してサイドフラップ（６）を形成する。また、このカット凹部（５）部分のサイドフラップ（６）の長さ方向には弾性体（７）を配置して、レッグギャザー（８）を形成している。また、おむつ本体（１）の長さ方向の両端部には、表面シート（２）と防漏シート（３）とを止着してエンドフラップ（９）を形成している。このエンドフラップ（９）の両側には、止着テープ（１０）を固定し、この止着テープ（１０）を表面シート（２）側に固定した離型紙（１１）に剥離可能に止着している。そしてこの止着テープ（１０）は、おむつを使用者に装着した際に、おむつが使用者から外れないように反対側のエンドフラップ（９）の外面に固定するために用いる。
【００１５】
また、おむつ本体（１）の表面には、交換吸収体（２０）を配置する。この交換吸収体（２０）は、図２、図４に示す如く、吸収層（２１）の下面に非透水性の防漏層（２２）を配置し、吸収層（２１）の上面には透水性の表面層（２３）を配置する。そして、この表面層（２３）及び防漏層（２２）よりも吸収層（２１）を小面積に形成し、表面層（２３）と防漏層（２２）との外周部を止着してサイドフラップ（２４）とエンドフラップ（２５）を形成している。また、表面層（２３）の長さ方向の両側をトンネル状に立ち上げて、平行な一対の紐挿通路（２６）を形成している。
【００１６】
この紐挿通路（２６）には、不織布により形成した締付紐（２７）（２８）を摺動可能に挿通する。この紐挿通路（２６）は締付紐（２７）（２８）を摺動可能に挿通できるものであれば、必ずしもトンネル状である必要はないが、トンネル状に形成することにより、締付紐（２７）（２８）の挿通が容易となる。この締付紐（２７）（２８）の挿通は、まず一対の紐挿通路（２６）の一端側から他端側にＵ字状に一方締付紐（２７）を挿通し、その端部を結んで一方締着部（３１）を形成する。次に、一対の紐挿通路（２６）の他端側から一端側にＵ字状に他方締付紐（２８）を挿通し、これもその端部を結んで他方締着部（３２）を形成する。また、交換吸収体（２０）の長さ方向両端部のエンドフラップ（２５）の中央には、切込部（３３）を設ける。この切込部（３３）は、２本の紐挿通路（２６）の間隔の中央部分で表面層（２３）と防漏層（２２）とを貫通して形成する。そして、この切込部（３３）に、他方及び一方締着部（３１）（３２）を、表面層（２３）側から防漏層（２２）側に挿通する。
【００１７】
そして、この交換吸収体（２０）は、図１、図２に示す如く、おむつ本体（１）の上面に載置して使用する。交換吸収体（２０）は、おむつ本体（１）の表面シート（２）の上面に防漏層（２２）を配置する。そして交換吸収体（２０）の表面層（２３）が使用者の肌側に配置するよう、おむつ本体（１）の中央部に載置する。交換吸収体（２０）を載置する場合は、使用者の大小便の排出部に接触できるよう、おむつ本体（１）に配置して行う。また、締付紐（２７）（２８）は、おむつ本体（１）を装着したときに交換吸収体（２０）と使用者の肌との間に入り込んで排泄物で汚れたりしないように、それぞれ１本ずつ腹側と背中側に突出して配置しておく。また、この締付紐（２７）（２８）は不織布の柔らかで薄い素材で作成しているから、装着時にごろつきを感じるなどの不快感を使用者に与えることがない。
【００１８】
一定時間の使用後は、止着テープ（１０）を引剥がしておむつ本体（１）を使用者から取り外す。この取り外し後に交換吸収体（２０）の締付紐（２７）（２８）を引くことで、排泄物の処理を行うことができる。その処理はまず、一方及び他方締着部（３１）（３２）を手で持ち、一方締付紐（２７）は交換吸収体（２０）の一端方向に、他方締付紐（２８）は交換吸収体（２０）の他端方向に同時に引く。すると、図５に示す如く、両方の締付紐（２７）（２８）のＵ字部分が中央に引き寄せられ、紐挿通路（２６）がギャザー状に引き絞られる。その結果、交換吸収体（２０）の全体が防漏層（２２）を外側に配置して巾着状になり、汚れた表面層（２３）と吸収層（２１）及び排泄物は内側に包み込まれる。従って、締付紐（２７）（２８）を引くだけで排泄物の処理が完了するので、おむつ本体（１）を折り畳む場合に比べ、簡単で速く作業を行うことができる上に、汚れものに触らずに処理できるので手も汚れず清潔である。また、交換吸収体（２０）は、おむつ本体（１）よりもコンパクトなのでゴミの容量も少なくなる。
【００１９】
また、不織布のような摩擦係数が高い素材で締付紐（２７）（２８）を形成しているから、引き絞った締付紐（２７）（２８）が緩むのを防ぐことができる。従って、交換吸収体（２０）が広がって排泄物が漏れるような心配がない。更に、巾着の口を閉じるように一方締付紐（２７）と他方締付紐（２８）を互いに絡ませて縛っておけば、安全性は高くなる。以上のことから、巾着状にした交換吸収体（２０）は、外側を非透水性の防漏層（２２）で覆われている上に、締付紐（２７）（２８）で固定されて広がらないので、そのままゴミとして捨てることができる。
【００２０】
次に、おむつ本体（１）の上に、新しい交換吸収体（２０）を載置し、使用者に装着する。おむつ本体（１）は汚れるまで複数回使用することができる。
【００２１】
【発明の効果】
本発明は上述の如く構成したものであるから、おむつ本体よりも安価で狭小な交換吸収体をおむつ本体に載置して、おむつ本体が汚染されていない場合は交換吸収体のみを使捨てにすることで、おむつ本体全体を交換するよりも経済的で、ゴミの容量も少なくすることができる。
【００２２】
また、交換吸収体は、手で折り畳む必要がなく、締付紐を左右に引張るだけて排泄物を処理することができるから、排泄物処理作業が簡単で速くなる。更に、汚れた交換吸収体に触らなくても作業ができるので清潔である。また、交換吸収体は外側が防漏層で覆われており、締付紐で巾着状に保持されるため、破棄した後で排泄物が漏れたり回りを汚したりする心配もなくなる。
【図面の簡単な説明】
【図１】本発明の一実施例を示す平面図である。
【図２】図１のＡ−Ａ線断面図である。
【図３】交換吸収体を取り外し、おむつ本体を広げた状態の平面図である。
【図４】交換吸収体の平面図である。
【図５】交換吸収体の締付紐を引張り、巾着状に引き絞った平面図である。
【符号の説明】
１    おむつ本体
２    表面シート
３    防漏シート
４    吸収シート
２０    交換吸収体
２１    吸収層
２２    防漏層
２３    表面層
２６    紐挿通路
２７    一方締付紐
２８    他方締付紐
３１    一方締着部
３２    他方締着部
３３    切込部
【図１】
0003562059.tif 000002
【図２】
0003562059.tif 000003
【図３】
0003562059.tif 000004
【図４】
0003562059.tif 000005
【図５】
0003562059.tif 000006